(57)【要約】【課題】  ツボ押し効果および波動改善効果を奏することで自然治癒力を高め筋肉や神経の緊張を緩和させて深い睡眠が得られると共に、変形容易性、ノンアレルギー性、通気性、洗浄容易性および防臭性に優れた敷きパッドを提供する。【解決手段】  本発明の敷きパッド１は、袋体２と、袋体２内に収納された磁器製粒状体３とを有する敷きパッドであって、袋体２は内部に区画された複数の粒状体収納室４を有し、粒状体収納室４にはそれぞれ磁器製粒状体３が収納されている。【選択図】図２
2016097202.tif 000002
【特許請求の範囲】
【請求項１】
袋体と、該袋体内に収納された磁器製粒状体とを有する敷きパッドであって、前記袋体は内部に区画された複数の粒状体収納室を有し、該粒状体収納室にはそれぞれ前記磁器製粒状体が収納されていることを特徴とする敷きパッド。
【請求項２】
前記磁器製粒状体は、楕円球形状に成形されている請求項１に記載の敷きパッド。  
【発明の詳細な説明】
【技術分野】
【０００１】
本発明は、例えば枕、敷布団、マットレス、ベッド等の上に配するなどして使用する敷きパッドに関するものである。
【背景技術】
【０００２】
従来より、枕、敷布団、マットレス、ベッド等の上に配して使用する敷きパッドが種々提案されている。例えばそのようなものとして、板状弾性発泡体からなり、板状弾性発泡体の上下面を貫通する複数の略平行な切り込みによって複数の略平行な切り込み間部分を切り込み間部分の両端付近で互いに連結した状態で設けると共に、複数の切り込み間部分について、隣り合う切り込み間部分を互いに板状弾性発泡体の反対側へ捻らせて板状弾性発泡体の上側表面と下側表面で隆起させたことを特徴とする敷きパッド（特許第４８４１１３７号公報）などがある。
【０００３】
この敷きパッドは、隆起部分の存在によって体圧分散性を向上させることができると共に、板状弾性発泡体の上下面を貫通する複数の切り込みによって通気性を向上させたものである。本願発明は、それら従来の敷きパッドの特性に加え、ツボ押し効果、波動改善効果、変形容易性、ノンアレルギー性、洗浄容易性および防臭性を具備させたものである。
【先行技術文献】
【特許文献】
【０００４】
【特許文献１】特許第４８４１１３７号公報
【発明の概要】
【発明が解決しようとする課題】
【０００５】
すなわち、本発明の課題は、ツボ押し効果および波動改善効果を奏することで自然治癒力を高め筋肉や神経の緊張を緩和させて深い睡眠が得られると共に、変形容易性、ノンアレルギー性、通気性、洗浄容易性および防臭性に優れた敷きパッドを提供することにある。
【課題を解決するための手段】
【０００６】
上記課題を解決するものは、袋体と、該袋体内に収納された磁器製粒状体とを有する敷きパッドであって、前記袋体は内部に区画された複数の粒状体収納室を有し、該粒状体収納室にはそれぞれ前記磁器製粒状体が収納されていることを特徴とする敷きパッドである。前記磁器製粒状体は、楕円球形状に成形されていることが好ましい。
【発明の効果】
【０００７】
請求項１に記載の発明によれば、ツボ押し効果および波動改善効果を奏することで自然治癒力を高め筋肉や神経の緊張を緩和させて深い睡眠が得られると共に、変形容易性、ノンアレルギー性、通気性、洗浄容易性および防臭性に優れた敷きパッドを構成できる。
請求項２に記載の発明によれば、ツボ押し効果がより高く、筋肉や神経の緊張を緩和させてより深い睡眠が得られる敷きパッドを構成できる。
【図面の簡単な説明】
【０００８】
【図１】本発明の敷きパッドの斜視図である。
【図２】図１に示した敷きパッドの縦断面図である。
【図３】本発明の敷きパッドの他の実施例の斜視図である。
【図４】図３に示した敷きパッドの縦断面図である。
【発明を実施するための形態】
【０００９】
本発明では、袋体２と、袋体２内に収納された磁器製粒状体３とを有し、袋体２は内部に区画された複数の粒状体収納室４を有し、粒状体収納室４にはそれぞれ磁器製粒状体３が収納されていることで、ツボ押し効果および波動改善効果を奏して自然治癒力を高め、筋肉や神経の緊張を緩和させて深い睡眠が得られると共に、変形容易性、ノンアレルギー性、通気性、洗浄容易性および防臭性に優れた敷きパッド１を実現した。
【実施例１】
【００１０】
まず、図１および図２に示した本発明の敷きパッド１について説明する。
この実施例の敷きパッド１は、袋体２と、袋体２内に収納された磁器製粒状体３とを有する敷きパッドであって、袋体２は内部に区画された複数の粒状体収納室４を有し、粒状体収納室４にはそれぞれ磁器製粒状体３が収納されている。以下、各構成について順次詳述する。
【００１１】
この実施例の敷きパッド１は、枕の上に配して使用する敷きパッドであり、枕自体としても使用することができるものである。
【００１２】
袋体２は、磁器製粒状体３を被包するためのものであり、形成材料としては、シート状のものであればどのようなものでもよいが、例えば、天然繊維、化学繊維などが好適である。
【００１３】
磁器製粒状体３は、袋体２内に多数収納されてツボ押し効果および波動改善奏することで自然治癒力を高めるものであり、粒状化した磁器セラミックスにて構成されている。また、磁器製粒状体３が磁器にて形成されていることにより、陶器製のように粉体が発生せず、吸水性もなく匂いが付着しないことから洗浄容易性および防臭性を担保することができる。
【００１４】
また、磁器製粒状体３は、セラミックスの特質として、人体に対して無害でノンアレルギー性に優れており、人体に対して波動がよく波動改善効果を奏することができ、温度上昇が緩やかで蒸れないことから通気性にも優れている。なお、磁器製粒状体３は、無釉のものでも有釉のものでもよい。
【００１５】
磁器製粒状体３は、楕円球形状（米粒状体）に成形されていることが好ましく、これによって、人体に対してより鋭利に当接することでツボ押し効果を高めることができる。ただし、磁器製粒状体３の形状としては、楕円球形状（米粒状体）に限定されるものではなく、例えば球体、立方体、長方体、その他ランダムな形状のものでもよい。
【００１６】
磁器製粒状体３の形成方法としては、どのような方法でもよいが、例えば造粒機にてボール状に成形した後、焼成して形成する方法、焼成した磁器をミルで粉砕して形成する方法、焼成した磁器をミルで粉砕した後、研削機で角部を研削して形成する方法などが挙げられる。
【００１７】
粒状体収納室４は、袋体２内において磁器製粒状体３が一部に偏らず分散して配されるようにするためのものであり、この実施例の敷きパッド１は、図２に示すように、袋体２内に区画された５つの粒状体収納室４を有し、粒状体収納室４にはそれぞれ磁器製粒状体３が収納されている。なお、この実施例の敷きパッド１は、５つの粒状体収納室４を有しているが、これ限定されるものではなく、複数の粒状体収納室を有するものは広く本発明の範疇に包含される。また、粒状体収納室４の形成方法としては、どのような方法でもよいが、粒状体収納室４同士の境界に沿って表地と裏地を縫い合わせる方法、粒状体収納室４同士の境界に沿って接着または溶着する方法などが挙げられる。
【００１８】
以上のように、この実施例の敷きパッド１は、袋体２と、袋体２内に収納された磁器製粒状体３とを有し、袋体２は内部に区画された複数の粒状体収納室４を有し、粒状体収納室４にはそれぞれ磁器製粒状体３が収納されていることで、これを枕の上に配し、或いは枕自体として使用することにより、磁器製粒状体３によるツボ押し効果および波動改善効果を奏することで自然治癒力を高め筋肉や神経の緊張を緩和し首まわりの緊張を解すと共に、磁器製粒状体３の粒粒感が心地よくもあり深い睡眠が得られる。また、多数の磁器製粒状体３により形態が構成されるため、使用者の身体形状に合わせて変形する変形容易性に優れ、使用者にとって自然な体勢で眠れることでいびきが解消する場合もある。さらに、磁器製粒状体３がセラミックにて構成されているため、ノンアレルギー性、通気性、洗浄容易性および防臭性に優れている。
【００１９】
つぎに、図３または図４に示した敷きパッド１０について説明する。
この実施例の敷きパッド１０と前述した敷きパッド１との相違は、敷きパッド１は枕の上に載置する、或いは枕自体として使用する敷きパッドであるのに対して、敷きパッド１０は、敷布団、マットレス、ベッド等の上に載置する、或いは敷布団、マットレス、ベッド自体として使用するものであり、基本的構造は同様で大きさが異なる。図中、敷きパッド１と同一構成部分については同一符号を付し説明を省略する。
【００２０】
具体的には、敷きパッド１０は、敷布団の平面寸法とほぼ同様の平面寸法に形成されており、袋体１１は、１１個の粒状体収納室１２を内部に備えている。
【００２１】
このように、本発明の敷きパッドは、敷布団、マットレス、ベッド等の上に載置する、或いは敷布団、マットレス、ベッド自体として使用することも可能であり、これにより、ツボ押し効果および波動改善効果を奏することで自然治癒力を高め筋肉や神経の緊張を緩和させて深い睡眠が得られると共に、変形容易性、ノンアレルギー性、通気性、洗浄容易性および防臭性に優れ、さらに、磁器製粒状体により体圧分散性に優れた敷きパッドを構成できる。
【符号の説明】
【００２２】
１    敷きパッド
２    袋体
３    磁器製粒状体
４    粒状体収納室      
【図１】
2016097202.tif 000003
【図２】
2016097202.tif 000004
【図３】
2016097202.tif 000005
【図４】
2016097202.tif 000006